(57)【要約】【課題】管理サーバはＨＤＤに取得されたデータを保存しているので、管理サーバを常時稼働すると耐久性が短いという弱点がある。この弱点を補うデータ端末を提供する。【解決手段】管理サーバ１に出力されるデータを常時取得する電力測定部１４を有するデータ端末１において、フラッシュメモリ１９ａからなり着脱可能なＵＳＢメモリ１９と制御部１５を備え、制御部１５は電力測定部１４が取得したデータをＵＳＢメモリ１９のフラッシュメモリ１９ａに逐次記憶させる【選択図】  図２
2013196254.tif 000002
【特許請求の範囲】
【請求項１】
管理サーバに出力されるデータを常時取得するデータ取得部を有するデータ端末において、
半導体メモリからなり着脱可能な記憶媒体と制御部を備え、該制御部は前記データ取得部が取得したデータを前記記憶媒体の半導体メモリに逐次記憶させることを特徴とするデータ端末。
【請求項２】
前記データは電力であり、管理サーバと有線あるいは無線で接続され、機器と商用電源の接続を遮断するスイッチ部を備え、該スイッチ部は前記管理サーバからの信号により前記機器と商用電源の接続を遮断することを特徴とする請求項１に記載のデータ端末。
【請求項３】
前記記憶媒体はＵＳＢメモリであることを特徴とする請求項２に記載のデータ端末。
【請求項４】
制御部とＨＤＤを有する管理サーバと、該管理サーバに出力されるデータを常時取得するデータ取得部を有するデータ端末とからなる管理システムにおいて、
前記データ端末は、半導体メモリからなり着脱可能な記憶媒体と制御部を備え、該制御部は前記データ取得部が取得したデータを前記記憶媒体の半導体メモリに逐次記憶させ、
前記管理サーバの制御部は通信で前記データ端末の半導体メモリからデータを読み出すことを特徴とする管理システム。
【請求項５】
前記管理サーバのＨＤＤは間欠的に稼働されることを特徴とする請求項４に記載の管理システム。
【発明の詳細な説明】
【技術分野】
【０００１】
本発明は、データ端末および管理システムに関し、特に管理サーバに出力されるデータを常時取得するデータ取得部を有するデータ端末および管理システムに関するものである。
【背景技術】
【０００２】
管理サーバに出力されるデータを常時取得するデータ取得部を有するデータ端末が市販されている。例えば、省エネ関係における電力管理システムの電力計測端末や医療関係における生体モニター管理システムの生体計測端末がある。特に省エネ関係では、経済産業省が発令する省エネ法でエネルギー使用状況の届出の必要が事業所から事業者に改正された。このために小規模事業所でもエネルギー使用量のデータを収集・管理しなければならなくなり、電力管理システムに対する関心が多くなった。また、昨今電力値上げの傾向があるために電力管理システムに対する関心が多くなっている。
【０００３】
特許文献１（特開２０１２−０２９５０９号公報）には、電力供給管理システムのコンセントボックスの電力計測部が計測した電力情報がネットワークを介して管理サーバの電力情報記憶部に記憶されることが記されている。そして、待機電力の状態が所定時間以上継続すると、管理サーバがコンセントボックスに電力遮断命令を送信し、コンセントボックスに接続されている機器の電力供給が遮断される。また、特許文献２（特開２０１１−１３０５３５号公報）の図１０および段落番号００６４には、特許文献１と同様な構成が、無線通信によって行われることが記されている。
【先行技術文献】
【特許文献】
【０００４】
【特許文献１】特開２０１２−０２９５０９号公報
【特許文献２】特開２０１１−１３０５３５号公報
【発明の概要】
【発明が解決しようとする課題】
【０００５】
特許文献１や特許文献２に記されるように、端末が常時取得した計測データや検出データが逐次管理サーバの記憶媒体に記載され、管理サーバがデータに基づいて制御を行っていた。通常、管理サーバはパーソナルコンピュータを使用することからデータが記憶される記憶媒体はＨＤＤ（ハードディスクドライブ）であった。ＨＤＤは回転体であることから、ＨＤＤの耐久性は一般的に２年〜５年と短いという問題があり、また、ＨＤＤを休みなく連続で可動させると一層ＨＤＤの寿命が短くなるという問題があった。そして従来の構成では管理サーバのＨＤＤに検出データが逐次記憶されるために、管理サーバの寿命が短くなった。
【０００６】
本発明は上記問題点に鑑みてなされたものであって、本発明の目的は、管理サーバの耐久性が短いという弱点を補うデータ端末を提供することにある。
【課題を解決するための手段】
【０００７】
上記目的を達成するため、本発明のデータ端末は、管理サーバに出力されるデータを常時取得するデータ取得部を有するデータ端末において、半導体メモリからなり着脱可能な記憶媒体と制御部を備え、該制御部は前記データ取得部が取得したデータを前記記憶媒体の半導体メモリに逐次記憶させることを特徴とする。
【０００８】
また、本発明のデータ端末においては、前記データは電力であり、管理サーバと有線あるいは無線で接続され、機器と商用電源の接続を遮断するスイッチ部を備え、該スイッチ部は前記管理サーバからの信号により前記機器と商用電源の接続を遮断することが好ましい。
【０００９】
また、前記記憶媒体はＵＳＢメモリであることが好ましい。
【００１０】
上記目的を達成するため、本発明の管理システムは、制御部とＨＤＤを有する管理サーバと、該管理サーバに出力されるデータを常時取得するデータ取得部を有するデータ端末とからなる管理システムにおいて、前記データ端末は、半導体メモリからなり着脱可能な記憶媒体と制御部を備え、該制御部は前記データ取得部が取得したデータを前記記憶媒体の半導体メモリに逐次記憶させ、前記管理サーバの制御部は通信で前記データ端末の半導体メモリからデータを読み出すことを特徴とする。
【００１１】
また、前記管理サーバの制御部は通信で間欠的に前記データ端末の半導体メモリからデータを読み出すことが好ましい。
【発明の効果】
【００１２】
本発明の請求項１によるデータ端末の構成においては、従来管理サーバ側のＨＤＤに記憶されていたデータを、本発明はデータ端末側の半導体メモリからなる記憶媒体に記憶させている。データ端末の記憶媒体はＨＤＤのような回転体ではなく半導体であるので、寿命が長い。これにより、管理サーバを常時稼働させなくてもよくなり、管理サーバを常時稼働させることで生じるトラブルを回避することができる。たとえば、管理サーバは制御を行うときにのみ駆動してデータ端末の半導体メモリに記憶されている蓄積データをファイル共有や無線通信や半導体メモリの着脱などで読み取って制御を行うことができる。
【００１３】
また、本発明の請求項２によるデータ端末の構成では、データ端末に消費電力の計測機能と機器への電力供給を遮断する機能を備えているので、管理サーバの指令による省電力の制御や種々の電力の管理を行うことができる。
【００１４】
また、本発明の請求項３によるデータ端末の構成では、データ端末の記憶媒体はＵＳＢメモリである。ほとんどの管理サーバはＵＳＢ端子を有しているので、ＵＳＢメモリの着脱によりデータ端末で取得されたデータを管理サーバに転送することが容易にできる。
【００１５】
また、本発明の請求項４による管理システムの構成では、管理サーバの制御部は通信でデータ端末の着脱式の記憶媒体からデータを読み出すので、使用者は記憶媒体をいちいち着脱する必要がなくて容易に管理の処理を行うことができる。また、管理処理の自動化ができる。
【００１６】
また、本発明の請求項５による管理システムの構成では、管理サーバのＨＤＤは管理の処理が必要なときに間欠的に稼働されるので、ＨＤＤの寿命が長くなる。
【図面の簡単な説明】
【００１７】
【図１】本発明のデータ端末が使用される管理システムの構成を示す図である。
【図２】本発明のデータ端末の要部の構成を示すブロック図である。
【図３】図１の管理サーバの要部の構成を示すブロック図である。
【発明を実施するための形態】
【００１８】
以下に本発明の実施形態を図面に基づいて説明する。但し、以下に示す実施形態は、本発明の技術的思想を具体化するためのデータ端末を例示するものであって本発明の技術的範囲を特定するものでない。本発明の技術的範囲は、特許請求の範囲の記載によって定められるものである。
【００１９】
図１に示すように、本実施形態のデータ端末１は電力管理システムＳの端末であり、コンセントや部屋や部署など毎に複数のデータ端末１が設置されている。それぞれのデータ端末１はネットワークＮを介して管理サーバ１００と接続されている。それぞれのデータ端末１には商用電源Ｅの電力を消費する種々の機器２００、たとえばエアーコンディショナー、ファンヒータ、テレビジョン、パーソナルコンピュータ、プリンター、音響装置などが接続されている。
【００２０】
図２を用いてデータ端末１の要部の構成を説明する。データ端末１はコンセント部１１、電動スイッチ１２、手動スイッチ１３、電力計測部１４、制御部１５、表示部１６、ＬＡＮ端子１７、ＵＳＢ端子１８とＵＳＢメモリ１９からなる。
【００２１】
コンセント部１１の一方は電動スイッチ１２と手動スイッチ１３を介して商用電源Ｅに接続され、他方は差し込み口であるコンセント（図示せず）が並列に複数接続されている。これらのコンセントに商用電源Ｅの電力を消費する機器２００のプラグ（図示せず）が接続される。電動スイッチ１２は例えばラッチ式リレーであり、管理サーバ１００からの信号に基づいて制御部１５から出力される信号によって電動スイッチ１２の接点を開閉する。手動スイッチ１３は使用者が故意に機器２００の電源を遮断できるようにするために設けられている。電力計測部１４は電動スイッチ１２とコンセント部１１間の電線に接続されて消費電力を常時測定し、測定データを制御部１５に常時出力する。
【００２２】
データ端末１の制御部１５はＣＰＵ１５ａ、ＲＯＭ１５ｂ、ＲＡＭ１５ｃと入出力Ｉ／Ｆ（入出力インターフェース）１５ｄからなる。ＣＰＵ１５ａは中央演算処理装置であり、読み込み専用の半導体メモリであるＲＯＭ１５ｂに記憶されているプログラムによりデータ端末１の制御や動作を行う。ＲＡＭ１５ｃは読み書き可能な高速の半導体メモリでありＣＰＵ１５ａの動作に必要なデータを一時的に記憶する。入出力Ｉ／Ｆ１５ｄはＣＰＵ１５ａが種々の入出力デバイスとデータのやり取りをすることができるようにデータ処理する。ここでの入出力デバイスは表示部１６、ＬＡＮ端子１７に接続されるネットワークＮの装置（図示せず）、ＵＳＢ端子１８に接続されるＵＳＢメモリ１９である。
【００２３】
表示部１６はＬＣＤ（液晶ディスプレイ）を有し、制御部１５に基づき消費電力の情報を表示する。ＬＡＮ端子１７にはデータ端末をネットワークＮと結ぶＬＡＮケーブル（図示せず）が接続される。ＵＳＢ端子１８にはＵＳＢメモリ１９が接続される。
【００２４】
ＵＳＢメモリ１９はフラッシュメモリ１９ａ、コントローラ１９ｂとＵＳＢ端子１９ｃからなる。フラッシュメモリ１９ａは電源を切ってもデータが消えない不揮発性の半導体メモリである。コントローラ１９ｂはＵＳＢ２．０やＵＳＢ３．０などのＵＳＢ規格に適合するようにフラッシュメモリ１９ａの入出力データを処理する。ＵＳＢメモリ１９には制御回路１５の制御によって消費電力の情報が書き込まれる。また、他のデータ端末１と区別ためにそれぞれのデータ端末にそれぞれ異なる端末番号がＲＯＭ１５ｂに記憶されており、ＲＯＭ１５ｂからコピーされた端末番号もＵＳＢメモリに書き込まれる。
【００２５】
図３を用いて管理サーバ１００の要部の構成を説明する。管理サーバ１００はノート型パーソナルコンピュータを使用したものであり、制御部１０１、表示部１０２、ポインティングデバイス１０３、キーボード１０４、ＬＡＮ端子１０５と２つのＵＳＢ端子１０６からなる。
【００２６】
管理サーバ１００の制御部１０１はＣＰＵ１０１ａ、ＲＯＭ１０１ｂ、ＲＡＭ１０１ｃ、ＨＤＤ１０１ｄと入出力Ｉ／Ｆ（入出力インターフェース）１０１ｅからなる。ＣＰＵ１０１ａはＲＯＭ１０１ｂやＨＤＤ１０１ｄに記憶されているプログラムにより管理サーバ１００の制御や動作を行う。ＲＡＭ１０１ｃはＣＰＵ１０１ａの動作に必要なデータを一時的に記憶する。ＨＤＤ１０１ｄは回転式の記憶媒体であり、管理サーバ１００の動作に必要なアプリケーションソフトやデータ端末１からの消費電力データを記憶する。入出力Ｉ／Ｆ１０１ｅはＣＰＵ１０１ａが種々の入出力デバイスとデータのやり取りをすることができるようにデータ処理する。ここでの入出力デバイスは表示部１０２、ポインティングデバイス１０３、キーボード１０４、ＬＡＮ端子１７に接続されるネットワークＮの装置（図示せず）、２つのＵＳＢ端子１０６に接続されるＵＳＢ機器、例えばプリンター３００やＵＳＢメモリ１９である。
【００２７】
上述の構成における電力管理システムＳの動作を説明する。データ端末１の制御部１５は電力測定部１４によって測定された電力データを読み込んで所定時間（例えば、１０分）の消費電力を算出する。そして、この所定時間の消費電力をＵＳＢ端子１８に接続されているＵＳＢメモリ１９のフラッシュメモリ１９ａに記憶させる。電力測定部１４からの電力データの読み込みは常時行われ、ＵＳＢメモリ１９への所定時間の消費電力の書き込みは逐次行われる。所定時間の消費電力の書き込みは、書き込んだときの日付、時間も消費電力に属して行われる。
【００２８】
データ端末１の制御部１５はＵＳＢメモリ１９に書き込まれた古い消費電力のデータを消去させることなく、追加で新しい消費電力のデータを書き込む。長年（例えば１０年間）、電力を監視するのに十分な大容量（例えば、３２ＧＢや２５６ＧＢ）のＵＳＢメモリ１９が使用される。必要に応じて複数のＵＳＢメモリを搭載できるようにしてもよい。ＵＳＢメモリは半導体メモリであるので、回転体であるＨＤＤと比較して寿命が非常に長いという特徴がある。また、制御部１５は１０分間、１時間、１日の各消費電力を計算し、そのたびに表示部１６に消費電力を表示させる。
【００２９】
管理サーバ１００の制御部１０１はネットワークＮを介してデータ端末１から所定時間の消費電力とそれに属した日付と時間、さらに、そのデータ端末の端末番号を読み取ってＨＤＤ１０１ｄに記憶させる。データ端末１から管理サーバ１００への消費電力に関する情報のデータ転送の命令は管理サーバ１００が行ってもよく、データ端末１が行ってもよい。管理サーバ１００の制御部１０１は所定時間に応じてあるいは消費電力の状況に応じて管理の処理を行う。たとえば、スケジュールによる特定の端末の電源オン・オフ、待機電力の自動カット、使い過ぎによる強制電源オフ、消費電力の集計の印刷などを行う。データ端末１に接続された機器２００の電源オン・オフは、管理サーバ１００の制御部１０１がその命令の信号を出し、これをデータ端末１の制御部１５が受信し、電動スイッチ１２が接点を開閉することで行われる。
【００３０】
このように、管理サーバ１００が管理の処理を行うための消費電力のデータがデータ端末１のＵＳＢメモリ１９に逐次全て記憶されるので、かならずしも管理サーバ１００のＨＤＤ１０１ｄには逐次全ての消費電力のデータを記憶させなくてもよい。このために、管理サーバ１００のＨＤＤ１０１ｄは常時駆動されなくてもよく、たとえば、消費電力の管理が不要なとき（例えば、深夜や不在のとき）などは管理サーバ１００のＨＤＤ１０１ｄの駆動を停止させることができる。なお、管理サーバ１００の駆動が停止していてもデータ端末１は駆動しているので、消費電力のデータを継続して取得できる。これにより、本発明は管理サーバ１００の耐久性が短いという弱点を補って、長期間の連続した消費電力の管理が可能となる。
【００３１】
なお、上述の消費電力のデータはＵＳＢメモリ１９に記憶されたが、他の半導体メモリからなる記憶媒体、例えば、ＳＤカードでもよい。
【００３２】
また、上述の消費電力のデータは有線のインターネットを介してデータ端末１から管理サーバ１００へ転送されたが、無線のインターネットや無線電話などの無線通信で転送されてもよい。また、ＵＳＢメモリ１９は着脱可能であるので、データ端末１のＵＳＢメモリ１９が抜き差しで管理サーバ１００に移動されて、管理サーバ１００が管理処理を行ってもよい。なお、このＵＳＢメモリ１９の移動中はデータ端末１で消費電力の記憶ができない。これを解決するために、データ端末１に補助の記録媒体を追加し、ＵＳＢメモリ１９がデータ端末１から離脱されたときに消費電力の情報を補助の記録媒体に記憶させてもよい。
【産業上の利用可能性】
【００３３】
上述の実施形態は、電力管理システムの管理サーバに出力されるデータを常時取得する電力測定部を有するデータ端末において、フラッシュメモリからなり着脱可能なＵＳＢメモリと制御部を備え、制御部は電力測定部が取得したデータをＵＳＢメモリのフラッシュメモリに逐次記憶させるデータ端末であり、これにより、本発明は管理サーバの耐久性が短いという弱点を補って、長期間の連続した消費電力の管理を可能とする作用効果がある。本発明は上述の実施形態のデータ端末に限定するものではなく、データ端末からのデータを管理サーバのＨＤＤに逐次記憶させる管理システムのデータ端末に本発明の構成を適用することができる。これにより、本発明と同様な効果を得ることができる。
【符号の説明】
【００３４】
１：データ端末
１１：コンセント部
１２：電動スイッチ
１３：手動スイッチ
１４：電力測定部
１５：制御部
１５ａ：ＣＰＵ
１５ｂ：ＲＯＭ
１５ｃ：ＲＡＭ
１５ｄ：入出力Ｉ／Ｆ
１６：表示部
１７：ＬＡＮ端子
１８：ＵＳＢ端子
１９：ＵＳＢメモリ
１９ａ：フラッシュメモリ
１９ｂ：コントローラ
１９ｃ：ＵＳＢ端子
１００：管理サーバ
２００：機器
３００：プリンター
Ｅ：商用電源
Ｎ：ネットワーク
Ｓ：消費電力管理システム
【図１】
2013196254.tif 000003
【図２】
2013196254.tif 000004
【図３】
2013196254.tif 000005